(57)【要約】      （修正有）【課題】マルチモード通信デバイスにおいて回線交換（ＣＳ）ページングメッセージが受信された際の接続制御方法を提供する。【解決手段】マルチモード通信デバイス１０２において、パケット交換（ＰＳ）サービス１０８がアクティブであるときに、ＣＳページングメッセージ１１２が受信される。マルチモード通信デバイス１０２において、ＣＳ通信よりもＰＳ通信を優先させるＰＳ優先機能がアクティブ化される。ＣＳページングメッセージを受信したことに応答してＣＳネットワークとのＣＳベアラ接続が確立され、ＣＳネットワークから、発呼者を識別する着信呼通知メッセージが受信される。着信呼通知メッセージが受信されたときに、ＣＳネットワークとのＣＳベアラ接続が解放される。発呼者からの不在着信呼についての通知が、ユーザインターフェースを介して（たとえば、実質的にリアルタイムで）表示される。【選択図】図１
2015136125.tif 000002
【特許請求の範囲】
【請求項１】
マルチモード通信デバイスにおいてパケット交換（ＰＳ）サービスがアクティブであるとき、前記マルチモード通信デバイスにおいて回線交換（ＣＳ）ページングメッセージを受信することと、ここで、前記マルチモード通信デバイスにおいてＣＳ通信よりもＰＳ通信を優先させるＰＳ優先機能がアクティブ化される、
前記ＣＳページングメッセージを受信したことに応答して、ＣＳネットワークとのＣＳベアラ接続を確立することと、
前記マルチモード通信デバイスにおいて前記ＣＳネットワークから着信呼通知メッセージを受信することと、ここで、前記着信呼通知メッセージが発呼者を識別する、
前記着信呼通知メッセージが受信されたときに、前記ＣＳネットワークとの前記ＣＳベアラ接続を解放することと、
前記マルチモード通信デバイスのユーザインターフェースを介して前記発呼者からの不在着信呼についての通知を表示することと
を備える、方法。
【請求項２】
前記ＣＳページングメッセージが音声呼に関連し、前記ＰＳ優先機能がパケット優先オーバーボイス（ＰＰＯＶ）機能を含む、請求項１に記載の方法。
【請求項３】
前記ＣＳネットワークとの前記ＣＳベアラ接続を確立することより前に前記ＰＳサービスが中断され、前記ＣＳベアラ接続が解放されたときに前記ＰＳサービスが再アクティブ化される、請求項１に記載の方法。
【請求項４】
前記着信呼通知メッセージを検出するための前記ＰＳサービスの中断に関連する遅延が、前記ＰＳサービスの終了をもたらさない、請求項３に記載の方法。
【請求項５】
前記マルチモード通信デバイスが並行ＣＳサービスをサポートするとき、前記マルチモード通信デバイスにおいてアクティブである前記ＰＳサービスが中断されない、請求項１に記載の方法。
【請求項６】
前記マルチモード通信デバイスの第１のモードが、ＰＳサービスを提供するＥｖｏｌｕｔｉｏｎ−Ｄａｔａ  Ｏｐｔｉｍｉｚｅｄ（ＥＶＤＯ）モードを含み、前記マルチモード通信デバイスの第２のモードが、ＣＳサービスを提供するＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）モードを含む、請求項１に記載の方法。
【請求項７】
前記着信呼通知メッセージが発呼者番号によって前記発呼者を識別し、前記表示された通知が前記発呼者番号を含む、請求項１に記載の方法。
【請求項８】
前記ＣＳベアラ接続が解放されたことに応答して、前記マルチモード通信デバイスがビジーであることが、前記ＣＳネットワークを介して発呼者に通知される、請求項１に記載の方法。
【請求項９】
前記ＣＳネットワークが前記ＣＳベアラ接続の前記解放をページ障害に関連付けない、請求項８に記載の方法。
【請求項１０】
パケット交換（ＰＳ）ネットワークと通信するための第１のアンテナと、
回線交換（ＣＳ）ネットワークと通信するための第２のアンテナと、
ディスプレイデバイスと、
前記ＣＳネットワークとの音声通信よりも前記ＰＳネットワークとのパケット化されたデータ通信を優先させるパケット優先オーバーボイス（ＰＰＯＶ）機能をアクティブ化することと、
前記第１のアンテナを利用して前記ＰＳネットワークと通信するＰＳサービスがアクティブであるときに、前記第２のアンテナを介してＣＳページングメッセージを受信することと、
前記ＣＳページングメッセージを受信したことに応答して、前記第２のアンテナを介して前記ＣＳネットワークとのＣＳベアラ接続を確立することと、
前記第２のアンテナを介して前記ＣＳネットワークから着信呼通知メッセージを受信することと、ここで、前記着信呼通知メッセージが発呼者を識別する、
前記着信呼通知メッセージが受信されたときに、前記ＣＳネットワークとの前記ＣＳベアラ接続を解放することと、
前記ディスプレイデバイスにおいて表示されるユーザインターフェースを介して前記発呼者からの不在着信呼についての通知を表示することと
を行う呼処理論理と
を備える、装置。
【請求項１１】
前記呼処理論理が、前記ＣＳネットワークとの前記ＣＳベアラ接続を確立することより前に前記ＰＳサービスを中断し、前記ＣＳベアラ接続が解放されたときに前記ＰＳサービスを再アクティブ化する、請求項１０に記載の装置。
【請求項１２】
前記呼処理論理が、前記ＣＳネットワークとの前記ＣＳベアラ接続を確立することより前に前記ＰＳサービスを中断しない、請求項１０に記載の装置。
【請求項１３】
回線交換（ＣＳ）ネットワークとの音声通信よりもパケット交換（ＰＳ）ネットワークとのパケット化されたデータ通信を優先させるパケット優先オーバーボイス（ＰＰＯＶ）機能をアクティブ化するための手段と、
ＰＳサービスがアクティブであるときにＣＳページングメッセージを受信するための手段と、
前記ＣＳページングメッセージを受信したことに応答して、前記ＣＳネットワークとのＣＳベアラ接続を確立するための手段と、
前記ＣＳネットワークから着信呼通知メッセージを受信するための手段と、ここで、前記着信呼通知メッセージが発呼者を識別する、
前記着信呼通知メッセージが受信されたときに、前記ＣＳネットワークとの前記ＣＳベアラ接続を解放するための手段と、
ユーザインターフェースを介して前記発呼者からの不在着信呼についての通知を表示するための手段と
を備える、装置。
【請求項１４】
前記ＣＳネットワークとの前記ＣＳベアラ接続を確立することより前に前記ＰＳサービスを中断するための手段と、
前記ＣＳベアラ接続が解放されたときに前記ＰＳサービスを再アクティブ化するための手段と
をさらに備える、請求項１３に記載の装置。
【請求項１５】
ユーザアクティブ化要求を受信するための手段をさらに備え、前記ユーザアクティブ化要求に応答して前記ＰＰＯＶ機能がアクティブ化される、請求項１３に記載の装置。
【請求項１６】
前記着信呼通知メッセージに基づいて前記発呼者の名前を判断するための手段をさらに備え、前記表示された通知が前記発呼者の前記名前を含む、請求項１３に記載の装置。
【請求項１７】
前記着信呼通知メッセージに基づいて前記発呼者に関連する画像を特定するための手段をさらに備え、前記表示された通知が前記発呼者に関連する前記画像を含む、請求項１３に記載の装置。
【請求項１８】
プロセッサによって実行されたとき、
パケット交換（ＰＳ）サービスがアクティブであるときに回線交換（ＣＳ）ページングメッセージを受信することと、
パケット優先オーバーボイス（ＰＰＯＶ）機能がアクティブ化されているかどうかを判断することと、ここで、前記ＰＰＯＶ機能が、ＣＳネットワークとの音声通信よりもＰＳネットワークとのパケット化されたデータ通信を優先させる、
前記ＰＰＯＶ機能がアクティブ化されていると判断されたときに、ＣＳネットワークとのＣＳベアラ接続を確立することと、
前記ＣＳネットワークから着信呼通知メッセージを受信することと、ここで、前記着信呼通知メッセージが発呼者を識別する、
前記着信呼通知メッセージが受信されたときに、前記ＣＳネットワークとの前記ＣＳベアラ接続を解放することと、
ユーザインターフェースを介して前記発呼者からの不在着信呼についての通知を表示することと
を前記プロセッサに行わせる命令を備える、コンピュータ可読有形媒体。
【請求項１９】
プロセッサによって実行されたとき、
前記ＣＳネットワークとの前記ＣＳベアラ接続を確立することより前に前記ＰＳサービスを中断することと、
前記ＣＳベアラ接続が解放されたときに前記ＰＳサービスを再アクティブ化することと
を前記プロセッサに行わせる命令をさらに備える、請求項１８に記載のコンピュータ可読有形媒体。
【請求項２０】
プロセッサによって実行されたとき、前記ＰＳサービスが特定のアプリケーションに関連するかどうかを判断することを前記プロセッサに行わせる命令をさらに備える、請求項１８に記載のコンピュータ可読有形媒体。
【請求項２１】
プロセッサによって実行されたとき、前記ＰＳサービスが特定のアプリケーションに関連するときに前記ＰＰＯＶ機能を自動的にアクティブ化することを前記プロセッサに行わせる命令をさらに備える、請求項２０に記載のコンピュータ可読有形媒体。
【請求項２２】
前記特定のアプリケーションがビデオテレフォニーアプリケーションを含む、請求項２１に記載のコンピュータ可読有形媒体。
【請求項２３】
プロセッサによって実行されたとき、
前記着信呼通知メッセージが受信されたときに、前記発呼者が特定の発呼者であるかどうかを判断することと、
前記発呼者が前記特定の発呼者であるとき、前記ＰＰＯＶ機能を自動的に非アクティブ化することと、
前記着信呼通知メッセージが受信されたときに、前記ＣＳネットワークとの前記ＣＳベアラ接続を解放することなしに、前記特定の発呼者からの着信呼を受信することと
を前記プロセッサに行わせる命令をさらに備える、請求項２０に記載のコンピュータ可読有形媒体。
【発明の詳細な説明】
【技術分野】
【０００１】
本開示は、一般に、マルチモード通信デバイスにおけるパケット交換通信の処理に関する。 
【背景技術】
【０００２】
技術の進歩により、コンピューティングデバイスは、より小型でより強力になった。たとえば、現在、小型で、軽量で、ユーザが容易に持ち運べる、ポータブルワイヤレス電話、携帯情報端末（ＰＤＡ）、およびページングデバイスなど、ワイヤレスコンピューティングデバイスを含む、様々なポータブルパーソナルコンピューティングデバイスが存在する。より具体的には、セルラー電話やインターネットプロトコル（ＩＰ）電話などのポータブルワイヤレス電話は、音声およびデータパケットをワイヤレスネットワークを介して伝達することができる。さらに、多くのそのようなワイヤレス電話は、その中に組み込まれた他のタイプのデバイスを含む。たとえば、ワイヤレス電話は、デジタルスチルカメラ、デジタルビデオカメラ、デジタルレコーダ、およびオーディオファイルプレーヤをも含むことができる。また、そのようなワイヤレス電話は、インターネットにアクセスするために使用され得る、ウェブブラウザアプリケーションなど、ソフトウェアアプリケーションを含む、実行可能な命令を処理することができる。したがって、これらのワイヤレス電話はかなりの計算能力を含むことができる。
【０００３】
デュアルモード携帯電話は、パケット交換ネットワークおよび回線交換ネットワークと通信することが可能である。デュアルモード携帯電話は、他のモードがアクティブ接続モードにある間、あるモードに関連する通信を中断し得る。この場合、パケット交換モードがアクティブであるとき、ユーザへの通知なしに、ユーザは着信呼を逃すことがある。さらに、この場合、発呼者は、被呼者が圏外であるという通知を受信し得る。
【０００４】
いくつかのデュアルモード携帯電話は、回線（すなわち、音声）優先オーバーパケット（ＣＰＯＰ：circuit precedence over packet）サービスを提供する処理機能を有し得る。一般的なＣＰＯＰサービスは、着信呼の場合にアクティブパケット交換サービスの途絶を生じ得る。一般的なＣＰＯＰシステムでは、ユーザは、（たとえば、ハンドセットのハングアップキーを押すことによって）着信呼を拒否することを決定し得る。しかしながら、パケット交換サービスに対する関連する遅延（一般に１０秒またはそれ以上）は、パケット交換サービスに関連するパケット交換ネットワーク接続のネットワークティアダウンを生じ得る。したがって、着信呼が受信されたときに、ユーザが高優先度パケット交換サービスに関与しているときなどに、不十分なユーザエクスペリエンスが生じ得る。
【発明の概要】
【０００５】
本開示では、マルチモード通信デバイスにおいて回線交換（ＣＳ）通信（たとえば、音声通信）よりもパケット交換（ＰＳ）通信（たとえば、データ通信）を優先させるＰＳ優先機能について説明する。たとえば、着信音声呼が受信されたとき、パケット優先オーバーボイス（ＰＰＯＶ：packet precedence over voice）機能がアクティブＰＳサービスの途絶を防ぎ得る。さらに、本開示のＰＰＯＶ機能は、呼に返答するために、不在着信音声呼が実質的にリアルタイムでユーザに通知されることを可能にする。
【０００６】
特定の実施形態では、方法が、マルチモード通信デバイスにおいて回線交換（ＣＳ）ページングメッセージを受信することを含む。マルチモード通信デバイスにおいて、パケット交換（ＰＳ）サービスがアクティブであるときに、ＣＳページングメッセージが受信される。マルチモード通信デバイスにあるＰＳ優先機能が、ＣＳ通信よりもＰＳ通信を優先させる。たとえば、ＰＳ優先機能は、音声通信よりもパケット交換通信を優先させるパケット優先オーバーボイス（ＰＰＯＶ）機能であり得る。本方法は、ＣＳページングメッセージを受信したことに応答して、ＣＳネットワークとのＣＳベアラ接続を確立することを含む。マルチモード通信デバイスにおいて、ＣＳネットワークから、発呼者を識別する着信呼通知メッセージが受信される。着信呼通知メッセージが受信されたときに、ＣＳネットワークとのＣＳベアラ接続が解放（released）される。本方法は、マルチモード通信デバイスのユーザインターフェースを介して発呼者からの不在着信呼についての通知（たとえば、実質的にリアルタイムでレンダリングされた表示通知）を表示することをさらに含む。
【０００７】
別の特定の実施形態では、装置が、第１のアンテナと、第２のアンテナと、表示デバイスと、呼処理論理とを含む。第１のアンテナは、ＰＳネットワークと通信するために使用され、第２のアンテナは、ＣＳネットワークと通信するために使用される。呼処理論理は、ＣＳネットワークを用いた音声通信よりも、ＰＳネットワークを用いたパケット化されたデータ通信を優先させるＰＰＯＶ機能をアクティブ化するように動作可能である。アクティブなＰＳサービスが第１のアンテナを利用してＰＳネットワークと通信する間に、第２のアンテナを介してＣＳページングメッセージが受信される。ＰＰＯＶ機能がアクティブ化されているとき、呼処理論理は、ＣＳページングメッセージを受信したことに応答して、第２のアンテナを介してＣＳネットワークとのＣＳベアラ接続を確立する。ＣＳネットワークから第２のアンテナを介して、発呼者を識別する着信呼通知メッセージが受信される。着信呼通知メッセージが受信されたときに、呼処理論理は、ＣＳネットワークとのＣＳベアラ接続を解放し、発呼者からの不在着信呼についての通知を表示する。たとえば、通知は、発呼者番号、発呼者の名前、発呼者に関連する画像、またはそれらの任意の組合せを含み得る。通知は、ユーザインターフェースを介して表示デバイスにおいて表示され得る。発呼者は、被呼者が圏外であるという指示ではなく被呼者がビジーであるという指示を受信し得る。
【０００８】
別の特定の実施形態では、装置が、ＣＳネットワークを用いた音声通信よりも、ＰＳネットワークを用いたパケット化されたデータ通信を優先させるＰＰＯＶ機能をアクティブ化するための手段を含む。本装置は、ＰＳサービスがアクティブであるときにＣＳページングメッセージを受信するための手段と、ＣＳページングメッセージを受信したことに応答してＣＳネットワークとのＣＳベアラ接続を確立するための手段とをさらに含む。本装置は、ＣＳネットワークから、発呼者を識別する着信呼通知メッセージを受信するための手段と、着信呼通知メッセージが受信されたときに、ＣＳネットワークとのＣＳベアラ接続を解放するための手段とを含む。本装置は、ユーザインターフェースを介して発呼者からの不在着信呼についての通知を表示するための手段をさらに含む。
【０００９】
開示する実施形態の少なくとも１つによって与えられる１つの特定の利点は、着信呼を受信するために、遅延に敏感であり得る高優先度パケット交換サービス（たとえば、ビデオテレフォニーアプリケーション）を途絶させることを回避する能力である。さらに、発呼者を識別する情報を受信し、実質的にリアルタイムでユーザに通知することによって、ユーザは、不在呼に気づいており、呼に返答する能力を与えられる。一実施形態では、発呼者の識別情報は、パケット交換サービスを途絶させるべきかどうかを判断するために使用されるファクタであり得る。したがって、マルチモード通信デバイスにおけるパケット交換通信の優先は、特定のパケット交換サービスの優先度、発呼者の識別情報、他のファクタ、またはそれらの組合せに依存し得る。
【００１０】
本開示の他の態様、利点、および特徴は、図面の簡単な説明、発明を実施するための形態、および特許請求の範囲を含む、本出願全体の検討の後に明らかになろう。
【図面の簡単な説明】
【００１１】
【図１】パケット優先機能をアクティブ化する呼処理論理を含むシステムの特定の例示的な実施形態のブロック図。
【図２】パケット優先機能をアクティブ化する呼処理論理を含むマルチモード通信デバイスに関連する通信のシーケンスの特定の実施形態を示すラダー図。
【図３Ａ】パケット優先機能がアクティブ化されているときに発呼者からの不在着信呼についての通知を表示するためのユーザインターフェースの第１の例示的な実施形態の図。
【図３Ｂ】パケット優先機能がアクティブ化されているときに発呼者からの不在着信呼についての通知を表示するためのユーザインターフェースの第２の例示的な実施形態の図。
【図３Ｃ】パケット優先機能がアクティブ化されているときに発呼者からの不在着信呼についての通知を表示するためのユーザインターフェースの第３の例示的な実施形態の図。
【図４】パケット優先機能をアクティブ化する呼処理論理を含むマルチモード通信デバイスにおいて着信呼を処理する方法の第１の例示的な実施形態のフローチャート。
【図５】パケット優先機能をアクティブ化する呼処理論理を含むマルチモード通信デバイスにおいて着信呼を処理する方法の第２の例示的な実施形態のフローチャート。
【図６】パケット優先機能をアクティブ化する呼処理論理を含むマルチモード通信デバイスにおいて着信呼を処理する方法の第３の例示的な実施形態のフローチャート。
【図７】パケット優先機能をアクティブ化する呼処理論理を含むマルチモード通信デバイスのブロック図。
【発明を実施するための形態】
【００１２】
スマートフォンの数の爆発的増加とともに、パケット交換通信が増加してきた。ビジネスおよびビデオテレフォニーアプリケーションなど、いくつかのパケットデータサービスは、高優先度と見なされ得、遅延に敏感であり得る。そのような場合、重大または重要と見なされるデータサービスを持続させるために、パケット優先オーバーボイス（ＰＰＯＶ）機能が望ましいことがある。ＰＰＯＶ機能は、回線交換サービス（たとえば、音声呼）による、１つまたは複数のパケットデータサービスの中断を防ぎ得る。この場合、ユーザが不在呼に返答することを可能にするために、不在音声呼についてユーザに通知することが望ましいこともある。さらに、ページング成功率はネットワークパフォーマンスのためのキーパフォーマンスインジケータであるので、音声呼に関連するページをオペレータが正常に配信することが望ましいことがある。さらに、マルチモード通信デバイスがＰＰＯＶ機能をアクティブ化したときに、発呼者はオペレータから圏外指示ではなくビジー指示を受信し得る。
【００１３】
現在の呼処理技術は、ボイス優先オーバーＰＳ（すなわち、「ＣＰＯＰ」または「ＶＰＯＰ：voice precedence over PS」）または並行サービスを提供することが可能であり得る。そのような呼処理技術には、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））、符号分割多元接続（ＣＤＭＡ、ＣＤＭＡ  ２０００  １ｘ）、Ｅｖｏｌｕｔｉｏｎ−Ｄａｔａ  Ｏｐｔｉｍｉｚｅｄ（ＥＶＤＯ）、広帯域符号分割多元接続（ＷＣＤＭＡ（登録商標））、Ｌｏｎｇ  Ｔｅｒｍ  Ｅｖｏｌｕｔｉｏｎ（ＬＴＥ）、およびＬＴＥ−Ａに関係するかまたはそれらによって定義された技術があり得る。たとえば、従来のハイブリッド１ｘ／ＤＯ動作は、不在音声呼通知を伴うＰＰＯＶを提供しない。さらに、従来のハンドセットは、不在音声呼についてのリアルタイムユーザインターフェース通知を伴うＰＰＯＶの機能を提供しない。
【００１４】
さらに、いくつかのデバイスは、単一アクティブ送信（Ｔｘ）機能により、またはデバイス内相互干渉により、並行音声およびデータをサポートすることができない。１つのそのようなデバイスは、単一アクティブＴｘチェーンをもつ１ｘ／ＤＯハイブリッド端末デュアルモードデュアルスタンバイである。別の例は、電気通信ネットワークとモバイルネットワークとを利用するＧＳＭ９００／ＥＶＤＯデュアルモード電話である。本開示のＰＰＯＶ機能は、そのような電話が高優先度パケットサービスを保護するために有用な機能であり得る。本開示のＰＰＯＶ機能はまた、２つの異なる技術に関連する同時送信の必要性をなくすことによって、いくつかの並行デュアルモード電話についてのデバイス内相互干渉問題に対処し得る。
【００１５】
図１を参照すると、パケット優先機能をアクティブ化する呼処理論理を含むシステムの特定の例示的な実施形態が開示され、全体的に１００と称される。パケット優先機能（たとえば、ＰＰＯＶ機能）は、着信呼を受信するために、遅延に敏感であり得る高優先度パケット交換サービス（たとえば、ビデオテレフォニーアプリケーション）を途絶させることを回避する能力をマルチモード通信デバイス１０２のユーザに与え得る。
【００１６】
マルチモード通信デバイス１０２は、少なくとも第１のアンテナ１０４と第２のアンテナ１０６とを含む。代替的に、任意の数のアンテナが含まれ得る。マルチモード通信デバイス１０２とパケット交換（ＰＳ）ネットワーク１１０との間のパケット化されたデータ通信１０８は、第１のアンテナ１０４を利用し得る。マルチモード通信デバイス１０２とＣＳネットワーク１１４との間の回線交換（ＣＳ）通信（たとえば、音声通信１１２）は、第２のアンテナ１０６を利用し得る。一実施形態では、マルチモード通信デバイス１０２の第１のモードが、第１のアンテナ１０４を介してＰＳサービスを与えるＥＶＤＯモードを含み、マルチモード通信デバイス１０２の第２のモードが、第２のアンテナ１０６を介してＣＳサービスを与えるＧＳＭモードを含む。
【００１７】
マルチモード通信デバイス１０２はまた、呼処理論理１１６と表示デバイス１１８とを含む。特定の実施形態では、呼処理論理１１６は、コンピュータ可読有形媒体において記憶されたプロセッサ実行可能命令を含む。呼処理論理１１６は、ＣＳネットワーク１１４との音声通信１１２よりもＰＳネットワーク１１０とのパケット化されたデータ通信１０８を優先させるパケット優先オーバーボイス（ＰＰＯＶ）機能をアクティブ化するように動作可能である。表示デバイス１１８は、ユーザインターフェース（図１に図示せず、図３Ａ〜図３Ｃ参照）を介して発呼者１２０からの不在着信呼についての通知を表示するように動作可能である。
【００１８】
動作中、マルチモード通信デバイス１０２においてＰＳサービスがアクティブであるとき、マルチモード通信デバイス１０２はＣＳページングメッセージ（すなわち、発呼者１２０からの着信音声呼に関連するページ）を受信する。ＰＳサービスは、第１のアンテナ１０４を利用してＰＳネットワーク１１０と通信する。一実施形態では、マルチモード通信デバイス１０２はＧＳＭ／ＥＶＤＯデュアルモードデバイスであり、ＰＳネットワーク１１０はＥＶＤＯネットワークであり、ＣＳネットワーク１１４はＧＳＭネットワークである。ＧＳＭ／ＥＶＤＯデュアルモードデバイスは例示的な例であり、限定と見なすべきではないことに留意されたい。マルチモード通信デバイス１０２がＧＳＭ／ＥＶＤＯデュアルモードデバイスであるとき、ＣＳページングメッセージはＧＳＭページングメッセージである。この場合、ＰＳサービスがアクティブであるとき、デュアルモードデバイスはＥＶＤＯアクティブモードにあり、ＧＳＭページを監視している。
【００１９】
ＰＰＯＶ機能がアクティブ化されていない（たとえば、ＰＳサービスが特定のアプリケーションに関連しない）とき、発呼者１２０からの着信呼が受信され得る。ＰＰＯＶ機能がアクティブ化されているとき、マルチモード通信デバイス１０２は第２のアンテナ１０６を利用するＣＳネットワーク１１４とのＣＳベアラ接続を確立する。一実施形態では、マルチモード通信デバイス１０２はＰＳサービスとＣＳサービスの両方を同時にサポートすることができる。この場合、ＣＳネットワーク１１４とのＣＳベアラ接続を確立するためにＰＳサービスは中断されない。代替的に、マルチモード通信デバイス１０２がＰＳサービスとＣＳサービスの両方を同時にサポートすることができないとき、ＣＳネットワーク１１４とのＣＳベアラ接続を確立する前にＰＳサービスは中断され得る。ＣＳネットワーク１１４がＧＳＭネットワークであるとき、ＣＳベアラ接続を確立することは、マルチモード通信デバイス１０２とＧＳＭネットワークとの間の無線ベアラセットアップを伴う。
【００２０】
ＣＳベアラ接続を確立した後、マルチモード通信デバイス１０２はＣＳネットワーク１１４から着信呼通知メッセージを受信する。着信呼通知メッセージは、（たとえば、発呼者番号を介して）発呼者１２０を識別する。着信呼通知メッセージが受信されたときに（たとえば、発呼者１２０の電話番号が受信されたときに）、マルチモード通信デバイス１０２はＣＳネットワーク１１４とのＣＳベアラ接続を解放する。ＣＳネットワーク１１４とのＣＳベアラ接続を確立することより前にＰＳサービスが中断された場合、ＣＳベアラ接続が解放されたときにＰＳサービスが再アクティブ化される。したがって、着信呼通知メッセージを検出するためのＰＳサービスの中断に関連する遅延が、ＰＳサービスの終了をもたらさないことがある。
【００２１】
ＣＳネットワーク１１４がＧＳＭネットワークであり、ＰＳネットワーク１１０がＥＶＤＯネットワークであるとき、ＣＳベアラ接続を解放することは、ＧＳＭ接続を解放してＥＶＤＯアクティブモードに戻ることを伴う。ＥＶＤＯアクティブモードは、マルチモード通信デバイス１０２が一時的にＧＳＭアクティブモードで動作することを可能にするために、着信呼通知メッセージを受信するための短い遅延を用いて中断される。ＧＳＭ無線ベアラセットアップの早い段において発呼者が識別され得るので、ＰＳデータサービスの終了を回避するためにＥＶＤＯアクティブモードの中断が低減され得る。
【００２２】
したがって、本開示のＰＰＯＶ機能は、一般的な回線優先オーバーパケット（ＣＰＯＰ）システムから生じるＰＳサービスの途絶を防ぎ得る。一般的なＣＰＯＰシステムでは、ユーザは（たとえば、ハンドセットのハングアップキーを押すことによって）着信呼を拒否することを決定し得る。しかしながら、ＰＳサービスに対する関連の遅延（一般に１０秒以上）は、ＰＳ接続のネットワークティアダウンを生じ得る。対照的に、本開示のＰＰＯＶ機能の場合、ＰＳネットワーク１１０とのＰＳ接続は、着信音声呼に同調するために無条件には切断されない。
【００２３】
さらに、本開示のＰＰＯＶ機能は、既存のシグナリングメッセージと呼処理方法とを利用する。本開示では、ＰＰＯＶ機能は、マルチモード通信デバイス１０２において記憶された呼処理論理１１６を介して実装される。したがって、ＰＰＯＶ機能は、ネットワーク側における変更を必要とせず（すなわち、ＰＳネットワーク１１０またはＣＳネットワーク１１４のいずれにおいても変更なく）、着信呼通知メッセージを配信するためにネットワーク間の協調を必要としない。さらに、上記のように、ＰＰＯＶ機能はＧＳＭ／ＥＶＤＯコンテキストに限定されない。むしろ、ＰＰＯＶ機能は様々な技術および関連の組合せに適用され得る。たとえば、ＰＰＯＶ機能は、候補の中でも、ＣＤＭＡ２０００  １ｘ、ＷＣＤＭＡ、ＧＳＭ  １ｘ、ＧＰＲＳ、ＣＤＭＡ２０００、ＴＤ−ＳＣＤＭＡ、およびＬＴＥとともに利用され得る。
【００２４】
したがって、呼処理論理１１６は、ＣＳネットワーク１１４を用いた音声通信よりも、ＰＳネットワークを用いたパケット化されたデータ通信を優先させるＰＰＯＶ機能をアクティブ化する機能を実行する。さらに、呼処理論理１１６は、ＰＳサービスがアクティブであるときにＣＳページングメッセージを受信する機能と、ＣＳページングメッセージを受信したことに応答してＣＳネットワーク１１４とのＣＳベアラ接続を確立する機能とを実行する。さらに、呼処理論理１１６は、ＣＳネットワーク１１４から、発呼者を識別する着信呼通知メッセージを受信する機能を実行する。呼処理論理１１６は、着信呼通知メッセージが受信されたときに、ＣＳネットワーク１１４とのＣＳベアラ接続を解放する機能を実行する。
【００２５】
一実施形態では、呼処理論理１１６は、ユーザアクティブ化要求を受信する機能と、ユーザアクティブ化要求に応答してＰＳサービスをアクティブ化する機能とを実行する。一実施形態では、呼処理論理１１６は、ＣＳネットワーク１１４とのＣＳベアラ接続を確立することより前にＰＳサービスを中断する機能を実行する。この場合、呼処理論理１１６は、ＣＳベアラ接続が解放されたときにＰＳサービスを再アクティブ化する機能を実行する。
【００２６】
呼処理論理１１６は、上記で説明した機能を実行するために、命令の１つまたは複数のセットを個別にまたは一緒に実行するシステムまたはサブシステムの任意の集合を含み得る。一実施形態では、呼処理論理１１６は、全体がメモリ（図７参照）中に常駐する命令の１つまたは複数のセット（たとえば、ソフトウェア）を実行するプロセッサを利用して機能を実行する。代替的に、呼処理論理１１６は、特定用途向け集積回路、プログラマブル論理アレイ、他のハードウェアデバイス、またはそれらの任意の組合せを使用して機能を実行し得る。
【００２７】
表示デバイス１１８は、ユーザインターフェース（図３Ａ、図３Ｂ、および図３Ｃ参照）を介して発呼者１２０からの不在着信呼についての通知を表示する。不在着信呼について実質的にリアルタイムでユーザに通知することによって、ユーザは、不在着信呼に気づかないことなしにＰＳサービスの途絶を回避し得る。ユーザは、不在着信呼に好きなときに応答することが可能であり得る。さらに、本開示のＰＰＯＶ機能は、ＰＳサービスに関して改善されたユーザエクスペリエンスを与え得る。したがって、表示デバイス１１８は、ユーザインターフェースを介して発呼者からの不在着信呼についての通知を表示する機能を実行する。たとえば、表示デバイス１１８は、代替形態の中でも、液晶ディスプレイ（ＬＣＤ）、有機発光ダイオード（ＯＬＥＤ）、フラットパネルディスプレイ、または固体ディスプレイを含み得る。
【００２８】
図２を参照すると、パケット優先機能をアクティブ化する呼処理論理を含むマルチモード通信デバイスに関連する通信のシーケンスの特定の例示的な実施形態が開示され、全体的に２００と称される。図２は、マルチモード端末がＰＳサービスとＣＳサービスの両方を同時にサポートすることができないときの呼処理シーケンスを示している。図２の呼処理シーケンスは、着信呼通知メッセージを検出するためのＰＳサービスの中断に関連する遅延を低減することによって、ＰＳサービスの終了を防ぎ得る。
【００２９】
図２は、マルチモード端末（たとえば、図１のマルチモード通信デバイス１０２）とＣＳネットワーク（たとえば、図１のＣＳネットワーク１１４）との間の通信を示している。２０２において、マルチモード通信デバイス１０２においてＰＳサービスがアクティブ状態にあり、マルチモード通信デバイス１０２はＣＳネットワーク１１４からのＣＳページングメッセージを周期的に監視する。２０４において、ＣＳネットワーク１１４からマルチモード通信デバイス１０２にモバイル着信（mobile terminated）ＣＳページングメッセージが到着する。２０６において、ＣＳページングメッセージに応答して、マルチモード通信デバイス１０２はＣＳネットワーク１１４にページ応答を送る。
【００３０】
図２に示す実施形態では、マルチモード通信デバイス１０２はＰＳサービスと着信音声呼とを同時にサポートすることはできない。したがって、２０８において、ＣＳネットワーク１１４とのＣＳベアラ接続を確立することより前にＰＳサービスを中断する。無線ベアラがセットアップされた後、２１０において、マルチモード通信デバイス１０２はＣＳネットワーク１１４から着信呼通知を受信する。図２に示す実施形態では、着信呼通知は発呼者番号によって発呼者を識別する。
【００３１】
着信呼通知が受信されたときに、２１２において、マルチモード通信デバイス１０２は解放メッセージを送る。特定の実施形態では、ＣＳネットワーク１１４は、ＣＳベアラ接続の解放をページ障害に関連付けない。さらに、ＣＳベアラ接続が解放されたことに応答して、マルチモード通信デバイス１０２がビジーであることが、ＣＳネットワーク１１４を介して発呼者に通知され得る。２１４において、マルチモード通信デバイス１０２はＰＳサービスを再開するためにＰＳネットワーク（たとえば、図１のＰＳネットワーク１１０）に同調する。着信呼通知は、ユーザが着信呼について通知されることを可能にし、発呼者を識別するためのＰＳサービスの中断に関連する遅延はＰＳサービスの途絶を生じない（途絶は不十分なユーザエクスペリエンスを生じる）。
【００３２】
図３Ａを参照すると、パケット優先機能がアクティブ化されているときに発呼者からの不在着信呼についての通知を表示するためのユーザインターフェースの第１の例示的な実施形態が開示され、全体的に３０２と称される。図３Ａのユーザインターフェース３０２は、不在着信呼に関連する発呼者番号を実質的にリアルタイムでアクティブＰＳサービスの終了なしにユーザに与える。
【００３３】
図３Ａのユーザインターフェース３０２は、マルチモード通信デバイス（たとえば、図１のマルチモード通信デバイス１０２）において受信された着信呼通知メッセージ３０４に応答して生成される。着信呼通知メッセージ３０４は発呼者番号３０６によって発呼者を識別し得る。ユーザインターフェース３０２を介して表示される通知３０８は、発呼者番号３０６と不在呼の指示とを含み得る。図示された実施形態では、ユーザは、１つまたは複数の選択可能なインジケータ（たとえば、ボタンまたはソフトキー）を介して通知３０８を確認するかまたは呼に応答し得る。たとえば、ＯＫボタン３１０は、ユーザが不在呼を確認することを可能にし得、呼返答ボタン３１２は、ユーザが発呼者番号３０６を自動的にダイヤルすることを可能にし得る。
【００３４】
図３Ｂを参照すると、パケット優先機能がアクティブ化されているときに発呼者からの不在着信呼についての通知を表示するためのユーザインターフェースの第２の例示的な実施形態が開示され、全体的に３１４と称される。図３Ｂのユーザインターフェース３１４は、不在着信呼に関連する発呼者の名前を実質的にリアルタイムでアクティブＰＳサービスの終了なしにユーザに与える。
【００３５】
図３Ｂのユーザインターフェース３１４は、マルチモード通信デバイス（たとえば、図１のマルチモード通信デバイス１０２）において受信された着信呼通知メッセージ３１６に応答して生成される。ユーザインターフェース３１４を介して表示される通知３１８は、発呼者の名前と不在呼の指示とを含み得る。図示された態様では、ユーザは、１つまたは複数の選択可能なインジケータを介して通知３１８を確認するかまたは呼に応答し得る。たとえば、ＯＫボタン３１０は、不在呼をユーザが確認することを可能にし得、呼返答ボタン３１２は、ユーザが不在呼に自動的に返答することを可能にし得る。図３Ｂに示す実施形態では、マルチモード通信デバイスは、着信呼通知メッセージ３１６に基づいて発呼者の名前を判断するための手段を含む。一実施形態では、発呼者の名前は着信呼通知メッセージ３１６中に含まれ得る。代替的に、発呼者の名前は、マルチモード通信デバイスにおいて記憶されたデータに基づいて（たとえば、連絡先リストに基づいて）判断され得る。
【００３６】
図３Ｃを参照すると、パケット優先機能がアクティブ化されているときに発呼者からの不在着信呼についての通知を表示するためのユーザインターフェースの第３の例示的な実施形態が開示され、全体的に３２０と称される。図３Ｃのユーザインターフェース３２０は、不在着信呼に関連する発呼者の画像を実質的にリアルタイムでアクティブＰＳサービスの終了なしにユーザに与える。
【００３７】
図３Ｃのユーザインターフェース３２０は、マルチモード通信デバイス（たとえば、図１のマルチモード通信デバイス１０２）において受信された着信呼通知メッセージ３１９に応答して生成される。ユーザインターフェース３２０を介して表示される通知３２２は、発呼者に関連する画像と不在呼の指示とを含み得る。図示された態様では、ユーザは、１つまたは複数の選択可能なインジケータを介して通知３２２を確認するかまたは呼に応答し得る。たとえば、ＯＫボタン３１０は、不在呼をユーザが確認することを可能にし得、呼返答ボタン３１２は、ユーザが不在呼に自動的に返答することを可能にし得る。図３Ｃに示す実施形態では、マルチモード通信デバイスは、着信呼通知メッセージ３１９に基づいて発呼者に関連する画像を特定するための手段を含む。一実施形態では、発呼者に関連する画像は、マルチモード通信デバイスにおいて記憶されたデータに基づいて（たとえば、画像を発呼者に関連付ける連絡先リストに基づいて）判断され得る。
【００３８】
図４を参照すると、パケット優先機能をアクティブ化する呼処理論理を含むマルチモード通信デバイスにおいて着信呼を処理する方法の第１の例示的な実施形態が開示され、全体的に４００と称される。特定の実施形態では、呼処理論理は、プロセッサによって実行されたとき、図４に示す方法を実行することをプロセッサに行わせる（コンピュータ可読有形媒体において記憶された）命令を含む。パケット優先機能（たとえば、ＰＰＯＶ機能）は、着信呼を受信するために、遅延に敏感であり得る高優先度パケット交換サービスを途絶させることを回避する能力をマルチモード通信デバイスのユーザに与え得る。
【００３９】
本方法は、４０２において、マルチモード通信デバイスにおいてＰＳサービスがアクティブであるときに、マルチモード通信デバイスにおいてＣＳページングメッセージを受信することを含む。ＣＳページングメッセージが受信されたとき、マルチモード通信デバイスにおいて、ＣＳ通信よりもＰＳ通信を優先させるＰＳ優先機能がアクティブ化される。たとえば、図１のマルチモード通信デバイス１０２は、ＣＳネットワーク１１４から第２のアンテナ１０６を介してＣＳページングメッセージを受信し得る。ＣＳページングメッセージが受信されたとき、ＰＳネットワーク１１０と通信するための第１のアンテナ１０４を利用するＰＳサービスがアクティブである。
【００４０】
本方法は、４０４において、ＣＳページングメッセージを受信したことに応答して、ＣＳネットワークとのＣＳベアラ接続を確立することを含む。たとえば、図１のマルチモード通信デバイス１０２は、第２のアンテナ１０６を利用してＣＳネットワーク１１４とのＣＳベアラ接続を確立し得る。４０６において、マルチモード通信デバイスにおいてＣＳネットワークから着信呼通知メッセージを受信する。着信呼通知メッセージは発呼者を識別する。本方法は、４０８において、着信呼通知メッセージが受信されたときに、ＣＳネットワークとのＣＳベアラ接続を解放することを含む。たとえば、図１のマルチモード通信デバイス１０２は、ＣＳネットワーク１２０から、発呼者１２０を識別する着信呼通知メッセージを受信し得、着信呼通知メッセージが受信されたときに、ＣＳベアラ接続を解放し得る。
【００４１】
本方法は、４１０において、マルチモード通信デバイスのユーザインターフェースを介して発呼者からの不在着信呼についての通知を表示することを含む。たとえば、通知は、図３Ａのユーザインターフェース３０２を介して、図３Ｂのユーザインターフェース３１４を介して、または図３Ｃのユーザインターフェース３２０を介して表示され得る。図３Ａに示すように、表示された通知は、着信呼通知メッセージ３０４中に含まれる発呼者番号３０６によって発呼者を識別し得る。別の例として、図３Ｂに示すように、表示された通知は発呼者を名前によって識別し得る。さらなる例として、図３Ｃに示すように、表示された通知は発呼者に関連する画像を使用して発呼者を識別し得る。
【００４２】
図５を参照すると、パケット優先機能をアクティブ化する呼処理論理を含むマルチモード通信デバイスにおいて着信呼を処理する方法の第２の例示的な実施形態が開示され、全体的に５００と称される。特定の実施形態では、呼処理論理は、プロセッサによって実行されたとき、図５に示す方法を実行することをプロセッサに行わせる（コンピュータ可読有形媒体において記憶された）命令を含む。図５は、ユーザアクティブ化要求に応答して、マルチモード通信デバイス（たとえば、図１のマルチモード通信デバイス１０２）においてＰＰＯＶ機能がアクティブ化され得ることを示している。たとえば、ユーザは、遅延に敏感であり得る高優先度パケット交換サービスのためのＰＰＯＶ機能をアクティブ化し得る。
【００４３】
本方法は、５０２において、ユーザアクティブ化要求を受信することを含む。たとえば、図１のマルチモード通信デバイス１０２（たとえば、携帯電話）は、ユーザアクティブ化要求を受信するためのキーパッド、タッチスクリーンまたは他の入力デバイスを含み得る。図５に示す実施形態では、５０４において、ＣＳネットワークとの音声通信よりもＰＳネットワークとのパケット化されたデータ通信を優先させるＰＰＯＶ機能がアクティブ化される。他の実施形態では、ユーザアクティブ化要求は、音声通信以外の回線交換サービスよりもパケット化されたデータ通信を優先させるパケット優先機能に関連し得る。
【００４４】
本方法は、５０６において、ＰＳサービスがアクティブであるときにＣＳページングメッセージを受信することを含む。図５に示す実施形態では、５１０において、ＣＳネットワークとのＣＳベアラ接続を確立することより前に、５０８において、アクティブＰＳサービスを中断する。代替実施形態では、アクティブＰＳサービスは、ＣＳネットワークとのＣＳベアラ接続を確立することより前に中断されないことがある。たとえば、マルチモード通信デバイスは、並行するパケット交換サービスと回線交換サービスとをサポートし得る。この場合、マルチモード通信デバイスがＣＳネットワークと通信することを可能にするために、アクティブＰＳサービスの中断がない。
【００４５】
５１２において、ＣＳネットワークから、発呼者を識別する着信呼通知メッセージを受信する。図５に示す実施形態では、着信呼通知メッセージは発呼者番号によって発呼者を識別する。たとえば、着信呼通知メッセージは、発呼者番号３０６を含む、図３Ａの着信呼通知メッセージ３０４であり得る。この場合、本方法は、５１４において、着信呼通知メッセージが受信されたときに、ＣＳネットワークとのＣＳベアラ接続を解放することを含む。５１６において、ＣＳベアラ接続が解放されたときにＰＳサービスを再アクティブ化する。
【００４６】
本方法は、５１８において、マルチモード通信デバイスのユーザインターフェースを介して発呼者からの不在着信呼についての通知を表示することを含む。図５に示す実施形態では、表示された通知は発呼者番号を含む。たとえば、図３Ａのユーザインターフェース３０２は発呼者番号からの不在呼の通知３０８を表示し得る。
【００４７】
したがって、図５に示す実施形態では、ＣＳベアラ接続を確立することと、着信呼通知メッセージを受信することと、ベアラ接続を解放することとを可能にするために、ＰＳサービスは一時的に中断される。したがって、ＰＰＯＶ機能は、遅延に敏感であり得る高優先度パケット交換サービスの途絶を回避し得る。
【００４８】
図６を参照すると、パケット優先機能をアクティブ化する呼処理論理を含むマルチモード通信デバイスにおいて着信呼を処理する方法の第３の例示的な実施形態が開示され、全体的に６００と称される。特定の実施形態では、呼処理論理は、プロセッサによって実行されたとき、図６に示す方法を実行することをプロセッサに行わせる（コンピュータ可読有形媒体において記憶された）命令を含む。図６は、ＰＳサービスが特定のアプリケーションに関連するとき、ＰＰＯＶ機能が自動的にアクティブ化され得ることを示している。
【００４９】
本方法は、６０２において、ＰＳサービスが特定のアプリケーション（たとえば、ビデオテレフォニーアプリケーション）に関連するかどうかを判断することを含む。図６に示す実施形態では、判断は、ＣＳページングメッセージを受信することより前に行われる。代替的に、ＰＳサービスが特定のアプリケーションに関連するかどうかの判断は、実質的にＣＳページングメッセージが受信されたときに実行され得る。ＰＳサービスが特定のアプリケーションに関連するとき、本方法は、６０４において、ＰＰＯＶ機能を自動的にアクティブ化することを含む。ＰＳサービスが特定のアプリケーションに関連しないとき、６０６において、ＰＰＯＶ機能を自動的にアクティブ化しない。図５に関して上記で説明したように、ＰＰＯＶ機能は、（５０２に示される）ユーザアクティブ化要求に応答して、いつでもアクティブ化され得る。
【００５０】
本方法は、６０８において、ＰＳサービスがアクティブであるときにＣＳページングメッセージを受信することを含む。それに応答して、本方法は、６１０において、ＰＰＯＶ機能がアクティブ化されているかどうかを判断することを含む。（自動的に、または、ユーザアクティブ化要求に応答して）ＰＰＯＶ機能がアクティブ化されていないとき、本方法は、６１２において、着信呼を受信することを含む。ＰＰＯＶ機能がアクティブ化されているとき、６１４において、ＣＳネットワークとのＣＳベアラ接続を確立する。６１６において、ＣＳネットワークから、発呼者を識別する着信呼通知メッセージを受信する。着信呼通知メッセージが受信されたときに、６１８において、ＣＳベアラ接続を解放する。
【００５１】
代替実施形態では、本方法は、着信呼通知メッセージが受信されたときに、発呼者が特定の発呼者（たとえば、高優先度発呼者）であるかどうかを判断することを含む。発呼者が高優先度発呼者であるとき、本方法は、着信呼を受信するためにＰＰＯＶ機能を非アクティブ化することを含み得る。この場合、着信呼通知メッセージが受信されたときに、ＣＳベアラ接続を解放しない。したがって、ユーザは、発呼者、他のファクタ、またはそれらの任意の組合せの識別情報に基づいてＰＰＯＶ機能が自動的に非アクティブ化されるように構成し得る。たとえば、特定のＰＳサービスの優先度レベルは発呼者の識別情報に基づいて変動し得る。さらに、異なるＰＳサービスが、異なる発呼者に対して異なる優先度レベルを有し得る。例示のために、高優先度発呼者の１つのティア（たとえば、家族）の場合はビデオテレフォニーアプリケーションが途絶され得、高優先度発呼者の別のティア（たとえば、仕事の同僚）の場合はＰＰＯＶ機能がアクティブ化されたままであり得る。同様に、高優先度発呼者の複数のティア（たとえば、家族と仕事の同僚の両方）の場合はより優先度の低いＰＳサービスが途絶され得、高優先度発呼者として指定されていない発呼者についてはＰＰＯＶ機能がアクティブ化されたままであり得る。さらに、ＰＰＯＶ機能がアクティブ化されたままであるかどうかを判断するために、発呼者番号が市外局番であるか市内局番であるかなど、他のファクタが使用され得る。
【００５２】
本方法は、６２０において、ユーザインターフェースを介して発呼者からの不在着信呼についての通知を表示することを含む。たとえば、表示された通知は、（図３Ａに示すように）発呼者番号、（図３Ｂに示すように）発呼者の名前、（図３Ｃに示すように）発呼者に関連する画像、またはそれらの任意の組合せを含み得る。着信呼通知メッセージは発呼者の名前または他の識別子を含み得る。代替的に、発呼者の名前は、発呼者番号に基づいて、または別の発呼者識別子に基づいて、マルチモード通信デバイスから取り出され得る。同様に、発呼者の画像は、発呼者番号に基づいて、または発呼者に関連する他の情報に基づいて、マルチモード通信デバイスから取り出され得る。
【００５３】
このようにして、図６は、いくつかのアプリケーション（たとえば、遅延に敏感であり得る高優先度パケット交換サービス）に関連するＰＳサービスの場合は、ＰＳサービスの途絶を防ぐために、ＰＰＯＶ機能が自動的にアクティブ化され得ることを示している。たとえば、マルチモード通信デバイスにおいてビデオテレフォニーサービスが開始されたときに、着信音声呼の結果としてのビデオテレフォニーサービスの途絶を防ぐために、ＰＰＯＶ機能が自動的にアクティブ化され得る。一実施形態では、ＰＳサービスがもはやアクティブではないとき、ＰＰＯＶ機能は（手動または自動のいずれかで）非アクティブ化され得る。
【００５４】
図７を参照すると、パケット優先機能をアクティブ化する呼処理論理を含むマルチモード通信デバイスの特定の例示的な実施形態のブロック図が示され、全体的に７００と称される。一実施形態では、図７のマルチモード通信デバイス７００は、図１または図２のマルチモード通信デバイス１０２を含む。さらに、図４〜図６で説明する方法は、図７のマルチモード通信デバイス７００において実行され得る。マルチモード通信デバイス７００は、メモリ７３２に結合されたデジタル信号プロセッサ（ＤＳＰ）７１０などのプロセッサを含む。メモリ７３２は、パケット優先機能（たとえば、ＰＰＯＶ機能）をアクティブ化する呼処理論理７４６を含み得る。図７はまた、デジタル信号プロセッサ７１０とディスプレイ７２６とに結合されたディスプレイコントローラ７２８を示す。ディスプレイ７２８は、図１〜図６で説明したように、ユーザインターフェースを介して発呼者からの不在着信呼についての通知を表示するために使用され得る。コーダ／デコーダ（コーデック）７３４はまたデジタル信号プロセッサ７１０に結合され得る。スピーカー７３６およびマイクロフォン７３８はコーデック７３４に結合され得る。
【００５５】
図７はまた、ワイヤレスコントローラ７４０がデジタル信号プロセッサ７１０と複数のワイヤレスアンテナとに結合され得ることを示す。たとえば、図７に示す実施形態では、マルチモード通信デバイス７００は第１のアンテナ７４２と第２のアンテナ７４３とを含む。代替的に、マルチモード通信デバイス７００は３つ以上のアンテナを含み得る。第１のアンテナ７４２は図１の第１の（すなわち、ＰＳネットワーク１１０と通信するための）アンテナ１０４に対応し得、第２のアンテナ７４３は図１の第２の（すなわち、ＣＳネットワーク１１４と通信するための）アンテナ１０６に対応し得る。
【００５６】
特定の一実施形態では、ＤＳＰ７１０、ディスプレイコントローラ７２６、メモリ７３２、コーデック７３４、およびワイヤレスコントローラ７４０は、システムインパッケージまたはシステムオンチップデバイス７２２中に含まれる。特定の実施形態では、入力デバイス７３０および電源７４４はシステムオンチップデバイス７２２に結合される。さらに、特定の実施形態では、図７に示すように、ディスプレイ７２８、入力デバイス７３０、スピーカー７３６、マイクロフォン７３８、ワイヤレスアンテナ７４２および７４３、ならびに電源７４４は、システムオンチップデバイス７２２の外部にある。ただし、ディスプレイ７２８、入力デバイス７３０、スピーカー７３６、マイクロフォン７３８、ワイヤレスアンテナ７４２および７４３、ならびに電源７４４の各々は、インターフェースまたはコントローラなど、システムオンチップデバイス７２２の構成要素に結合され得る。
【００５７】
さらに、本明細書で開示した実施形態に関して説明した様々な例示的な論理ブロック、構成、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、構成、モジュール、回路、およびステップを、上記では概して、それらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈すべきではない。
【００５８】
本明細書で開示する実施形態に関して説明する方法またはアルゴリズムのステップは、直接ハードウェアで実施されるか、プロセッサによって実行されるソフトウェアモジュールで実施されるか、またはその２つの組合せで実施され得る。ソフトウェアモジュールは、ランダムアクセスメモリ（ＲＡＭ）、フラッシュメモリ、読取り専用メモリ（ＲＯＭ）、プログラマブル読取り専用メモリ（ＰＲＯＭ）、消去可能プログラマブル読取り専用メモリ（ＥＰＲＯＭ）、電気消去可能プログラマブル読取り専用メモリ（ＥＥＰＲＯＭ）、レジスタ、ハードディスク、リムーバブルディスク、コンパクトディスク読取り専用メモリ（ＣＤ−ＲＯＭ）、または当技術分野で知られている他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体は特定用途向け集積回路（ＡＳＩＣ）中に常駐し得る。ＡＳＩＣは、コンピューティングデバイスまたはユーザ端末中に常駐し得る。代替として、プロセッサおよび記憶媒体は、コンピューティングデバイスまたはユーザ端末中に個別構成要素として常駐し得る。
【００５９】
開示した実施形態の上記の説明は、開示した実施形態を当業者が作成または使用できるように行ったものである。これらの実施形態への様々な変更は当業者にはすぐに明らかになり、本明細書で定義された原理は本開示の範囲から逸脱することなく他の実施形態に適用され得る。したがって、本開示は、本明細書に示した実施形態に限定されるものではなく、特許請求の範囲によって定義される原理および新規の特徴と合致することが可能な最も広い範囲が与えられるべきものである。
【図１】
2015136125.tif 000003
【図２】
2015136125.tif 000004
【図３Ａ】
2015136125.tif 000005
【図３Ｂ】
2015136125.tif 000006
【図３Ｃ】
2015136125.tif 000007
【図４】
2015136125.tif 000008
【図５】
2015136125.tif 000009
【図６】
2015136125.tif 000010
【図７】
2015136125.tif 000011
【手続補正書】
【提出日】平成27年3月16日(2015.3.16)
【手続補正１】
【補正対象書類名】特許請求の範囲
【補正対象項目名】全文
【補正方法】変更
【補正の内容】
【特許請求の範囲】
【請求項１】
マルチモード通信デバイスにおいてパケット交換（ＰＳ）サービスがアクティブであるとき、前記マルチモード通信デバイスにおいて回線交換（ＣＳ）ページングメッセージを受信することと、ここで、前記マルチモード通信デバイスにおいてＣＳ通信よりもＰＳ通信を優先させるＰＳ優先機能がアクティブ化される、
前記ＣＳページングメッセージを受信したことに応答して、ＣＳネットワークとのＣＳベアラ接続を確立することと、
前記マルチモード通信デバイスにおいて前記ＣＳネットワークから着信呼通知メッセージを受信することと、ここで、前記着信呼通知メッセージが発呼者を識別する、
前記着信呼通知メッセージが受信されたときに、前記ＣＳネットワークとの前記ＣＳベアラ接続を解放することと、
前記マルチモード通信デバイスのユーザインターフェースを介して前記発呼者からの不在着信呼についての通知を表示することとを備える、方法。
【手続補正２】
【補正対象書類名】明細書
【補正対象項目名】００５９
【補正方法】変更
【補正の内容】
【００５９】
開示した実施形態の上記の説明は、開示した実施形態を当業者が作成または使用できるように行ったものである。これらの実施形態への様々な変更は当業者にはすぐに明らかになり、本明細書で定義された原理は本開示の範囲から逸脱することなく他の実施形態に適用され得る。したがって、本開示は、本明細書に示した実施形態に限定されるものではなく、特許請求の範囲によって定義される原理および新規の特徴と合致することが可能な最も広い範囲が与えられるべきものである。
以下に本願出願当初の特許請求の範囲を付記する。
[Ｃ１]  マルチモード通信デバイスにおいてパケット交換（ＰＳ）サービスがアクティブであるとき、前記マルチモード通信デバイスにおいて回線交換（ＣＳ）ページングメッセージを受信することと、ここで、前記マルチモード通信デバイスにおいてＣＳ通信よりもＰＳ通信を優先させるＰＳ優先機能がアクティブ化される、
前記ＣＳページングメッセージを受信したことに応答して、ＣＳネットワークとのＣＳベアラ接続を確立することと、
前記マルチモード通信デバイスにおいて前記ＣＳネットワークから着信呼通知メッセージを受信することと、ここで、前記着信呼通知メッセージが発呼者を識別する、
前記着信呼通知メッセージが受信されたときに、前記ＣＳネットワークとの前記ＣＳベアラ接続を解放することと、
前記マルチモード通信デバイスのユーザインターフェースを介して前記発呼者からの不在着信呼についての通知を表示することとを備える、方法。
[Ｃ２]  前記ＣＳページングメッセージが音声呼に関連し、前記ＰＳ優先機能がパケット優先オーバーボイス（ＰＰＯＶ）機能を含む、Ｃ１に記載の方法。
[Ｃ３]  前記ＣＳネットワークとの前記ＣＳベアラ接続を確立することより前に前記ＰＳサービスが中断され、前記ＣＳベアラ接続が解放されたときに前記ＰＳサービスが再アクティブ化される、Ｃ１に記載の方法。
[Ｃ４]  前記着信呼通知メッセージを検出するための前記ＰＳサービスの中断に関連する遅延が、前記ＰＳサービスの終了をもたらさない、Ｃ３に記載の方法。
[Ｃ５]  前記マルチモード通信デバイスが並行ＣＳサービスをサポートするとき、前記マルチモード通信デバイスにおいてアクティブである前記ＰＳサービスが中断されない、Ｃ１に記載の方法。
[Ｃ６]  前記マルチモード通信デバイスの第１のモードが、ＰＳサービスを提供するＥｖｏｌｕｔｉｏｎ−Ｄａｔａ  Ｏｐｔｉｍｉｚｅｄ（ＥＶＤＯ）モードを含み、前記マルチモード通信デバイスの第２のモードが、ＣＳサービスを提供するＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）モードを含む、Ｃ１に記載の方法。
[Ｃ７]  前記着信呼通知メッセージが発呼者番号によって前記発呼者を識別し、前記表示された通知が前記発呼者番号を含む、Ｃ１に記載の方法。
[Ｃ８]  前記ＣＳベアラ接続が解放されたことに応答して、前記マルチモード通信デバイスがビジーであることが、前記ＣＳネットワークを介して発呼者に通知される、Ｃ１に記載の方法。
[Ｃ９]  前記ＣＳネットワークが前記ＣＳベアラ接続の前記解放をページ障害に関連付けない、Ｃ８に記載の方法。
[Ｃ１０]  パケット交換（ＰＳ）ネットワークと通信するための第１のアンテナと、
回線交換（ＣＳ）ネットワークと通信するための第２のアンテナと、
ディスプレイデバイスと、
前記ＣＳネットワークとの音声通信よりも前記ＰＳネットワークとのパケット化されたデータ通信を優先させるパケット優先オーバーボイス（ＰＰＯＶ）機能をアクティブ化することと、
前記第１のアンテナを利用して前記ＰＳネットワークと通信するＰＳサービスがアクティブであるときに、前記第２のアンテナを介してＣＳページングメッセージを受信することと、
前記ＣＳページングメッセージを受信したことに応答して、前記第２のアンテナを介して前記ＣＳネットワークとのＣＳベアラ接続を確立することと、
前記第２のアンテナを介して前記ＣＳネットワークから着信呼通知メッセージを受信することと、ここで、前記着信呼通知メッセージが発呼者を識別する、
前記着信呼通知メッセージが受信されたときに、前記ＣＳネットワークとの前記ＣＳベアラ接続を解放することと、
前記ディスプレイデバイスにおいて表示されるユーザインターフェースを介して前記発呼者からの不在着信呼についての通知を表示することと
を行う呼処理論理とを備える、装置。
[Ｃ１１]  前記呼処理論理が、前記ＣＳネットワークとの前記ＣＳベアラ接続を確立することより前に前記ＰＳサービスを中断し、前記ＣＳベアラ接続が解放されたときに前記ＰＳサービスを再アクティブ化する、Ｃ１０に記載の装置。
[Ｃ１２]  前記呼処理論理が、前記ＣＳネットワークとの前記ＣＳベアラ接続を確立することより前に前記ＰＳサービスを中断しない、Ｃ１０に記載の装置。
[Ｃ１３]  回線交換（ＣＳ）ネットワークとの音声通信よりもパケット交換（ＰＳ）ネットワークとのパケット化されたデータ通信を優先させるパケット優先オーバーボイス（ＰＰＯＶ）機能をアクティブ化するための手段と、
ＰＳサービスがアクティブであるときにＣＳページングメッセージを受信するための手段と、
前記ＣＳページングメッセージを受信したことに応答して、前記ＣＳネットワークとのＣＳベアラ接続を確立するための手段と、
前記ＣＳネットワークから着信呼通知メッセージを受信するための手段と、ここで、前記着信呼通知メッセージが発呼者を識別する、
前記着信呼通知メッセージが受信されたときに、前記ＣＳネットワークとの前記ＣＳベアラ接続を解放するための手段と、
ユーザインターフェースを介して前記発呼者からの不在着信呼についての通知を表示するための手段とを備える、装置。
[Ｃ１４]  前記ＣＳネットワークとの前記ＣＳベアラ接続を確立することより前に前記ＰＳサービスを中断するための手段と、
前記ＣＳベアラ接続が解放されたときに前記ＰＳサービスを再アクティブ化するための手段とをさらに備える、Ｃ１３に記載の装置。
[Ｃ１５]  ユーザアクティブ化要求を受信するための手段をさらに備え、前記ユーザアクティブ化要求に応答して前記ＰＰＯＶ機能がアクティブ化される、Ｃ１３に記載の装置。
[Ｃ１６]  前記着信呼通知メッセージに基づいて前記発呼者の名前を判断するための手段をさらに備え、前記表示された通知が前記発呼者の前記名前を含む、Ｃ１３に記載の装置。
[Ｃ１７]  前記着信呼通知メッセージに基づいて前記発呼者に関連する画像を特定するための手段をさらに備え、前記表示された通知が前記発呼者に関連する前記画像を含む、Ｃ１３に記載の装置。
[Ｃ１８]  プロセッサによって実行されたとき、
パケット交換（ＰＳ）サービスがアクティブであるときに回線交換（ＣＳ）ページングメッセージを受信することと、
パケット優先オーバーボイス（ＰＰＯＶ）機能がアクティブ化されているかどうかを判断することと、ここで、前記ＰＰＯＶ機能が、ＣＳネットワークとの音声通信よりもＰＳネットワークとのパケット化されたデータ通信を優先させる、
前記ＰＰＯＶ機能がアクティブ化されていると判断されたときに、ＣＳネットワークとのＣＳベアラ接続を確立することと、
前記ＣＳネットワークから着信呼通知メッセージを受信することと、ここで、前記着信呼通知メッセージが発呼者を識別する、
前記着信呼通知メッセージが受信されたときに、前記ＣＳネットワークとの前記ＣＳベアラ接続を解放することと、
ユーザインターフェースを介して前記発呼者からの不在着信呼についての通知を表示することとを前記プロセッサに行わせる命令を備える、コンピュータ可読有形媒体。
[Ｃ１９]  プロセッサによって実行されたとき、
前記ＣＳネットワークとの前記ＣＳベアラ接続を確立することより前に前記ＰＳサービスを中断することと、
前記ＣＳベアラ接続が解放されたときに前記ＰＳサービスを再アクティブ化することとを前記プロセッサに行わせる命令をさらに備える、Ｃ１８に記載のコンピュータ可読有形媒体。
[Ｃ２０]  プロセッサによって実行されたとき、前記ＰＳサービスが特定のアプリケーションに関連するかどうかを判断することを前記プロセッサに行わせる命令をさらに備える、Ｃ１８に記載のコンピュータ可読有形媒体。
[Ｃ２１]  プロセッサによって実行されたとき、前記ＰＳサービスが特定のアプリケーションに関連するときに前記ＰＰＯＶ機能を自動的にアクティブ化することを前記プロセッサに行わせる命令をさらに備える、Ｃ２０に記載のコンピュータ可読有形媒体。
[Ｃ２２]  前記特定のアプリケーションがビデオテレフォニーアプリケーションを含む、Ｃ２１に記載のコンピュータ可読有形媒体。
[Ｃ２３]  プロセッサによって実行されたとき、
前記着信呼通知メッセージが受信されたときに、前記発呼者が特定の発呼者であるかどうかを判断することと、
前記発呼者が前記特定の発呼者であるとき、前記ＰＰＯＶ機能を自動的に非アクティブ化することと、
前記着信呼通知メッセージが受信されたときに、前記ＣＳネットワークとの前記ＣＳベアラ接続を解放することなしに、前記特定の発呼者からの着信呼を受信することとを前記プロセッサに行わせる命令をさらに備える、Ｃ２０に記載のコンピュータ可読有形媒体。
【外国語明細書】
2015136125000001.pdf